(57)【特許請求の範囲】
【請求項１】
陶磁器製またはガラス製等の花瓶への着脱が容易な鉢植容器であって、花瓶の上縁部に係合または接着可能な固定リングと該固定リングに螺合可能な鉢植容器本体とからなることを特徴とする着脱容易な花瓶用鉢植容器。
【請求項２】
前記鉢植容器本体の上部にフランジ部を有し、該フランジ部の少なくとも１箇所に１個または複数個の摘まみリブを設けてなることを特徴とする請求項１記載の着脱容易な花瓶用鉢植容器。
【請求項３】
前記鉢植容器本体の底部に１個もしくは複数個の孔を穿設してなることを特徴とする請求項１または２記載の着脱容易な花瓶用鉢植容器。
【発明の詳細な説明】
【０００１】
【発明の属する技術分野】
本発明は、陶磁器製やガラス製等の花瓶にセットするプラスチック製の鉢植容器に関するものであり、特に、収容する花の取り替え等が容易に行うことのできる花瓶用鉢植容器に関する。
【０００２】
【従来の技術】
従来、陶磁器製、ガラス製あるいは素焼きの花瓶に収容された観葉植物やアートフラワーを、季節や気分によって別の種類の植物やアートフラワーに変更する（レンタル業の場合は定期的に変更する）場合は、その都度前記陶磁器製、ガラス製等の花瓶ごと取り替えていた。
【０００３】
【発明が解決しようとする課題】
しかしながら、上記のような変更などの取り替え作業においては、花瓶ごと行うために非常に重く、取り替え作業に多くの時間や人手を必要とし、また、運搬作業等においても不注意により花瓶を容易に破損し易いなどの運搬に係わる作業性等に問題があった。
【０００４】
本発明は、かかる従来の問題点を解決するものであり、その課題とするところは、観葉植物やアートフラワーの種類変更に際し、取り替え作業の時間を要せず、運搬等に係わる作業性に優れた着脱容易な花瓶用鉢植容器を提供することにある。
【０００５】
【課題を解決するための手段】
本発明に於いて上記課題を達成するために、まず請求項１の発明では、陶磁器製またはガラス製等の花瓶への着脱が容易な鉢植容器であって、花瓶の上縁部に係合または接着可能な固定リングと該固定リングに螺合可能な鉢植容器本体とからなることを特徴とする着脱容易な花瓶用鉢植容器としたものである。
【０００６】
また、請求項２の発明では、前記鉢植容器本体の上部にフランジ部を有し、該フランジ部の少なくとも１箇所に１個または複数個の摘まみリブを設けてなることを特徴とする請求項１記載の着脱容易な花瓶用鉢植容器としたものである。
【０００７】
また、請求項３の発明では、前記鉢植容器本体の底部に１個もしくは複数個の孔を穿設してなることを特徴とする請求項１または２記載の着脱容易な花瓶用鉢植容器としたものである。
【０００８】
【発明の実施の形態】
以下本発明の実施の形態を図面を用いながら詳細に説明する。
本発明の花瓶用鉢植容器は、図１（ａ）の斜視図に示すように、底部（１１）と、上部周縁にフランジ部（１２）を有し、胴部（１３）の上方外周に外周４条ねじ（１４）を設けた鉢植容器本体（１０）と、図１（ｂ）の斜視図に示すように、上部周縁にフランジ部（２１）と斜辺部（２２）と内周にねじ部（２４）を有する裾部（２６）とを設けた固定リング（２０）とでなり、花瓶へのセットの一例として、図２の側断面で表した概略図に示すように、あらかじめ花瓶（３０）の開口部に固定リング（２０）を係合し、花瓶（３０）の上縁部（３２）に固定リング（２０）の斜辺部（２２）外面を接着により固定した花瓶に、アートフラワー（１００）が収容されている鉢植容器本体（１０）の外周に設けられたねじ部（１４）を、前記固定リング（２０）の裾部（２６）の内周に設けられたねじ部（２４）に螺合し、鉢植容器本体（１０）のフランジ部（１２）が固定リング（２０）のフランジ部（２１）に接触するまで締めつけてセットするものである。
【０００９】
前述において、鉢植容器本体（１０）を固定リング（２０）に螺合する際に、ねじ部（１４、２４）の形状をそれぞれ外周４条ねじ（１４）と内周４条ねじ（２４）による螺合とすることによって、容易にかつ短時間で鉢植容器本体（１０）の脱着ができる。なお、ねじ部（１４、２４）の形状については、４条ねじに限定されるものではなく、２条ねじ、１条ねじとしても良い。その他には、固定リング（２０）と鉢植容器本体（１０）との接合方法としては、前記螺合に限定されるものではなく、凹凸による嵌合等他の嵌合手段を用いてても良い。
【００１０】
また、本発明では、図１（ａ）に示すように、前記鉢植容器本体（１０）のフランジ部（１２）の少なくとも１箇所に所定の間隔をおいて２〜３個（図面の事例では３個）の摘まみリブ（１８）を設けてなるもので、この摘まみリブ（１８）を設けることによって、上述のように固定リング（２０）にアートフラワー（１００）が収容されている鉢植容器本体（１０）を螺合セットあるいは取り外しする際に、両端にある摘まみリブ（１８）を指で摘まんで回転させるなど、螺合セットあるいは取り外しする際の支点とすることができるので、アートフラワー（１００）等に直接触れずに済み、その商品価値を落とすことがないようにすることができる。
【００１１】
上記摘まみリブ（１８）の設ける箇所は２箇所でも３箇所でもよく、その上等間隔でバランスのとれた箇所に設けることによってデザイン的効果も付与することができる。また両端の摘まみリブ（１８）の間隔は、指で摘んで回転させる力が掛け易い程度であればよく、鉢植容器本体（１０）の大きさによっても異なるが、例えば内径６６ｍｍの鉢植容器本体（１０）の場合は約４５ｍｍ程度であれば好適である。
【００１２】
さらにまた、本発明では、図１（ａ）に示すように、鉢植容器本体（１０）の底部（１１）の中央周囲に複数個（図面の事例では４個）の孔（１６）を穿設してなるもの、あるいは図２に示すように、底部（１１）の中央に１個の孔（１６）を穿設してなるもの、さらに前記両方を兼ね備えたものであっても良い。
【００１３】
上記の各孔（１６）は、花瓶（３０）に垂直にかつ正確な位置に花瓶用鉢植容器（１）をセットするための位置決め用に設けたもので、例えばそのセットは、まず、予め花瓶（３０）に接着固定された固定リング（２０）に鉢植容器本体（１０）を軽く螺合しておき、図２に示すように、花瓶（３０）の底部（図示せず）に一体もしくは別体として設けられたセンターリング用リブ（３４）を鉢植容器本体（１０）の底部（１１）中央に穿設された孔（１６）にはめ込んでセットするもので、芯ブレを防止し、セット時のアートフラワー（１００）等の花の見映えを良好にしたものである。そして、その後鉢植容器本体（１０）のフランジ部（１２）に設けられた摘まみリブ（１８）に指を掛けながら完全に螺合を行うものである。
【００１４】
上記孔（１６）が図１（ａ）に示すように中央周囲に４個とした場合は、花瓶の底部に設けるセンターリング用リブもそれに適合するものを設ければよい。また、これら孔（１６）は、観葉植物の場合の水抜き孔とすることもできるもので、例えば中央周囲の複数の孔（１６）を水抜き用とし、中央の孔を位置決め用として用いることもできる。
【００１５】
本発明の着脱容易な花瓶用鉢植容器（１）は、ＡＢＳ樹脂の他にポリプロピレン樹脂、アクリロニトリル／スチレン樹脂、ポリエチレン樹脂、ポリスチレン樹脂などを用いて、射出成形法によって得られ、前記樹脂に種々の色の顔料等を混入すれば、種々の色の着脱容易な花瓶用鉢植容器（１）とすることもできる。
【００１６】
【発明の効果】
本発明は以上の構成であるから、下記に示す如き効果がある。
即ち、花瓶の上縁部に係合または接着可能な固定リングと該固定リングに螺合可能な鉢植容器本体とからなる花瓶用鉢植容器としたので、別種のアートフラワーや観葉植物への取り替えに際し、従来のように陶磁器製等の重い花瓶ごと運ぶ必要がないので、運搬作業の効率が向上し、また、その取り替え作業において花瓶を移動する必要がないため、誤って花瓶を壊す恐れのないものとすることができる。
【００１７】
前記固定リングの裾部内周に内周４条ねじを設け、鉢植容器本体の胴部外周に外周４条ねじを設けて螺合セットする花瓶用鉢植容器としたので、容易に鉢植容器本体の脱着ができ、取り替え作業時間を短縮することができる。
【００１８】
また、前記鉢植容器本体のフランジ部の少なくとも１箇所に所定の間隔をおいて複数個の摘まみリブを設けることによって、両端にある摘まみリブを指で摘まんでアートフラワー等を収容する鉢植容器本体の脱着ができるので、鉢植容器本体に収容されているアートフラワー等に直接触れずに済み、その商品価値の保持に寄与することができる。
【００１９】
さらにまた、前記鉢植容器本体の底部中央等に孔を穿設し、花瓶の底部に一体にもしくは別体として設けられたセンターリング用リブをその孔にセットすることで、芯ブレを防止したセットが可能な花瓶用鉢植容器が得られる。
【００２０】
従って本発明は、観葉植物やアートフラワー等を収容する花瓶用鉢植容器として、優れた実用上の効果を発揮する。
【図面の簡単な説明】
【図１】本発明の着脱容易な花瓶用鉢植容器を説明する図であり、
（ａ）は、鉢植容器本体の一実施の形態を説明する斜視図であり、
（ｂ）は、固定リングの一実施の形態を説明する斜視図である。
【図２】本発明の着脱容易な花瓶用鉢植容器を花瓶にセットした一実施の形態を側断面で表した概略説明図である。
【符号の説明】
１‥‥花瓶用鉢植容器
１０‥‥鉢植容器本体
１１‥‥鉢植容器本体の底部
１２‥‥鉢植容器本体のフランジ部
１３‥‥鉢植容器本体の胴部
１４‥‥ねじ部（外周４条ねじ）
１６‥‥孔
１８‥‥摘まみリブ
２０‥‥固定リング
２１‥‥固定リングのフランジ部
２２‥‥リング斜辺部
２４‥‥ねじ部（内周４条ねじ）
２６‥‥固定リングの裾部
３０‥‥花瓶
３２‥‥花瓶の上縁部
３４‥‥センターリング用リブ
１００‥‥アートフラワー
【図１】
0003669206.tif 000002
【図２】
0003669206.tif 000003